(57)【要約】【課題】ＩＤカードの暗証情報（暗証番号）を容易に確認可能にし、ＩＤカードの利便性を向上させる。【解決手段】暗証情報確認装置１は、ＩＤカードに内蔵されたＩＣメモリから、カード保有者の個人情報を読み取り、ホストコンピュータ３から、そのＩＤカードのカード保有者の個人情報を取得し、ＩＣメモリから読み取られた個人情報に含まれる暗証番号と、ホストコンピュータから取得された個人情報に含まれる暗証番号と、カード保有者によって入力された暗証番号とを照合し、ＩＣメモリに記憶された暗証情報と、カード保有者によって入力された暗証情報が一致しない場合、その入力された暗証番号のＩＤカードを再発行するか否かの指定をカード保有者に促し、ＩＤカードの再発行が指定された場合、ＩＤカード発行装置２にＩＤカードの再発行を要求する。【選択図】図１
2005107730.tif 000002
【特許請求の範囲】
【請求項１】
カード保有者の個人情報が記憶されたＩＣメモリを内蔵したＩＤカードの暗証情報を確認するための暗証情報確認装置であって、
前記ＩＤカードのカード保有者の個人情報が登録されたホストコンピュータと、ＩＤカードを発行するＩＤカード発行装置に通信ネットワークを介して接続され、
前記個人情報には、カード保有者の暗証情報が含まれ、
前記ＩＤカードのＩＣメモリから、カード保有者の個人情報を読み取る読取手段と、
前記ＩＤカードの暗証情報を入力する入力手段と、
前記ホストコンピュータから、前記ＩＤカードのカード保有者の個人情報を取得する取得手段と、
前記読取手段により読み取られた個人情報に含まれる暗証情報と、前記入力手段により入力された暗証情報と、前記取得手段により取得された個人情報に含まれる暗証情報とを照合する照合手段と、
前記照合手段により、前記読取手段で得られた暗証情報と、前記入力手段により入力された暗証情報が一致しない場合、前記入力された暗証番号のＩＤカードを再発行するか否かを指定する指定手段と、
前記指定手段によりＩＤカードの再発行が指定された場合、前記ＩＤカード発行装置にＩＤカードの再発行を要求する再発行要求手段と、
を備えることを特徴とする暗証情報確認装置。
【請求項２】
前記照合手段により、前記読取手段で得られた暗証情報と、前記入力手段により入力された暗証情報が一致しない場合、表示部に、暗証情報が一致しなかった旨を表示することを特徴とする請求項１に記載の暗証情報確認装置。
【請求項３】
前記照合手段により、前記入力手段により入力された暗証情報と、前記取得手段により得られた暗証情報が一致しない場合、前記ホストコンピュータに対し、当該ホストコンピュータに登録された前記カード保有者の暗証情報を、前記入力された暗証情報に変更する要求を行うことを特徴とする請求項１又は２に記載の暗証情報確認装置。
【請求項４】
カード保有者の個人情報が記憶されたＩＣメモリを内蔵したＩＤカードの暗証情報を確認するための暗証情報確認装置と、前記ＩＤカードのカード保有者の個人情報が格納されたデータベースを備えるホストコンピュータと、ＩＤカードを発行するＩＤカード発行装置が、通信ネットワークを介して接続されたＩＤカード発行システムであって、
前記個人情報には、カード保有者の暗証情報が含まれ、
前記暗証情報確認装置は、
前記ＩＤカードのＩＣメモリから、カード保有者の個人情報を読み取る読取手段と、
前記ＩＤカードの暗証情報を入力する入力手段と、
前記ホストコンピュータから、前記ＩＤカードのカード保有者の個人情報を取得する取得手段と、
前記読取手段により読み取られた個人情報に含まれる暗証情報と、前記入力手段により入力された暗証情報と、前記取得手段により取得された個人情報に含まれる暗証情報とを照合する照合手段と、
前記照合手段により、前記読取手段で得られた暗証情報と、前記入力手段により入力された暗証情報が一致しない場合、前記入力された暗証番号のＩＤカードを再発行するか否かを指定する指定手段と、
前記指定手段によりＩＤカードの再発行が指定された場合、前記ＩＤカード発行装置にＩＤカードの再発行を要求する再発行要求手段と、を備え、
前記ＩＤカード発行装置は、
前記暗証情報確認装置からのＩＤカードの再発行の要求に応じてＩＤカードを発行することを特徴とするＩＤカード発行システム。
【請求項５】
前記暗証情報確認装置は、
前記照合手段により、前記読取手段で得られた暗証情報と、前記入力手段により入力された暗証情報が一致しない場合、表示部に、暗証情報が一致しなかった旨を表示することを特徴とする請求項４に記載のＩＤカード発行システム。
【請求項６】
前記暗証情報確認装置は、
前記照合手段により、前記入力手段により入力された暗証情報と、前記取得手段により得られた暗証情報が一致しない場合、前記ホストコンピュータに対し、前記データベースに格納された前記カード保有者の暗証情報を、前記入力された暗証情報に変更する要求を行い、
前記ホストコンピュータは、
前記暗証情報確認装置から、カード保有者の暗証情報の変更が要求されると、前記データベースに格納された当該カード保有者の暗証情報を、前記暗証情報確認装置から指定された暗証情報に変更することを特徴とする請求項４又は５に記載のＩＤカード発行システム。
【請求項７】
カード保有者の個人情報が記憶されたＩＣメモリを内蔵したＩＤカードの暗証情報を確認するための暗証情報確認装置と、前記ＩＤカードのカード保有者の個人情報が格納されたデータベースを備えるホストコンピュータと、ＩＤカードを発行するＩＤカード発行装置が通信ネットワークを介して接続されたシステムを用いたＩＤカード発行方法であって、
前記個人情報には、カード保有者の暗証情報が含まれ、
前記暗証情報確認装置は、
前記ＩＤカードのＩＣメモリから、カード保有者の個人情報を読み取る読取工程と、
前記ＩＤカードの暗証情報を入力する入力工程と、
前記ホストコンピュータから、前記ＩＤカードのカード保有者の個人情報を取得する取得工程と、
前記読取工程において読み取られた個人情報に含まれる暗証情報と、前記入力工程において入力された暗証情報と、前記取得工程において取得された個人情報に含まれる暗証情報とを照合する照合工程と、
前記照合工程において、前記読取工程において得られた暗証情報と、前記入力工程において入力された暗証情報が一致しない場合、前記入力された暗証番号のＩＤカードを再発行するか否かを指定する指定工程と、
前記指定工程においてＩＤカードの再発行が指定された場合、前記ＩＤカード発行装置にＩＤカードの再発行を要求する工程と、を含み、
前記ホストコンピュータは、
前記暗証情報確認装置から指定されたカード保有者の個人情報を前記データベースから取得し、その取得された個人情報を当該暗証情報確認装置に送信し、
前記ＩＤカード発行装置は、
前記暗証情報確認装置からのＩＤカードの再発行の要求に応じてＩＤカードを発行することを特徴とするＩＤカード発行方法。
【請求項８】
前記暗証情報確認装置は、
前記照合工程において、前記読取工程において暗証情報と、前記入力工程において入力された暗証情報が一致しない場合、表示部に、暗証情報が一致しなかった旨を表示することを特徴とする請求項７に記載のＩＤカード発行方法。
【請求項９】
前記暗証情報確認装置は、
前記照合工程において、前記入力工程において入力された暗証情報と、前記取得工程において得られた暗証情報が一致しない場合、前記ホストコンピュータに対し、前記データベースに格納された前記カード保有者の暗証情報を、前記入力された暗証情報に変更する要求を行い、
前記ホストコンピュータは、
前記暗証情報確認装置から、カード保有者の暗証情報の変更が要求されると、前記データベースに格納された当該カード保有者の暗証情報を、前記暗証情報確認装置から指定された暗証情報に変更することを特徴とする請求項７又は８に記載のＩＤカード発行方法。
【発明の詳細な説明】
【技術分野】
【０００１】
本発明は、社員証や各種免許証等のＩＤカードの暗証情報を確認するための暗証情報確認装置、ＩＤカード発行システム及びＩＤカード発行方法に関する。
【背景技術】
【０００２】
近年、社員証や各種免許証等のＩＤカードを作成する際、不正使用を防ぐため、暗証番号を登録する必要がある。一般に、ＩＤカードの暗証番号は、カード保有者によって、ＩＤカード作成のための申請書に記入され、ＩＤカード交付機関の受付係員によって、その申請書に記入された暗証番号が、カード保有者のＩＤ番号、氏名、住所、年齢等とともにホストコンピュータに登録される。ＩＤカード交付機関に設置されたＩＤカード発行装置では、ホストコンピュータに登録されたＩＤ番号、個人情報（氏名、住所、年齢、暗証番号等）に基づいてＩＤカードが作成される。
【０００３】
最近では、ＩＣメモリを内蔵したＩＤカードが普及している。このようなＩＣメモリが内蔵されたＩＤカードを作成する場合、ＩＤカード発行装置により、ＩＤ番号、氏名等が、紙やプラスチック製カードの表面に直接印刷されるとともに、カードに内蔵されたＩＣメモリに、ＩＤ番号、個人情報等が記録される。ＩＤカードに記憶された暗証番号の正当性は、カード保有者がＩＤカードを利用する際、カード保有者によって入力された暗証番号及びホストコンピュータに登録された暗証番号と照合するか、或いは申請書に記入された暗証番号と照合することにより判別されている（例えば、特許文献１参照。）。
【特許文献１】特開平７−３２０００８号公報
【発明の開示】
【発明が解決しようとする課題】
【０００４】
しかしながら、上述の背景技術には、以下のような問題があった。
申請書に記入された暗証番号をホストコンピュータに登録する際、受付係員の入力ミス等により、申請書に記入された暗証番号と異なる番号が登録される可能性があった。また、ＩＤカード発行装置によって、ＩＤカードのＩＣメモリにカード保有者の個人情報を記録する際、システムエラー等により、申請書に記入された暗証番号と異なる暗証番号が記録される可能性があった。また、暗証番号の正当性は、上述のように、実際にＩＤカードを利用するときでないとわからないため、ＩＣメモリに記録された暗証番号が間違っている場合又はホストコンピュータに登録された暗証番号が間違っている場合は、たとえ、カード保有者がカード利用時に正しい暗証番号を入力したとしても、そのＩＤカードを利用することができないという問題があった。特に、カード利用時における暗証番号の入力回数の上限（許容回数）が設定されている場合、暗証番号の入力回数が許容回数に達してしまうと、以降、その暗証番号を使用できなくなることがあった。
【０００５】
本発明の課題は、ＩＤカードの暗証情報（暗証番号）を容易に確認可能にし、ＩＤカードの利便性を向上させることである。
【課題を解決するための手段】
【０００６】
上記課題を解決するため、請求項１に記載の発明は、カード保有者の個人情報が記憶されたＩＣメモリを内蔵したＩＤカードの暗証情報を確認するための暗証情報確認装置であって、
前記ＩＤカードのカード保有者の個人情報が登録されたホストコンピュータと、ＩＤカードを発行するＩＤカード発行装置に通信ネットワークを介して接続され、
前記個人情報には、カード保有者の暗証情報が含まれ、
前記ＩＤカードのＩＣメモリから、カード保有者の個人情報を読み取る読取手段と、
前記ＩＤカードの暗証情報を入力する入力手段と、
前記ホストコンピュータから、前記ＩＤカードのカード保有者の個人情報を取得する取得手段と、
前記読取手段により読み取られた個人情報に含まれる暗証情報と、前記入力手段により入力された暗証情報と、前記取得手段により取得された個人情報に含まれる暗証情報とを照合する照合手段と、
前記照合手段により、前記読取手段で得られた暗証情報と、前記入力手段により入力された暗証情報が一致しない場合、前記入力された暗証番号のＩＤカードを再発行するか否かを指定する指定手段と、
前記指定手段によりＩＤカードの再発行が指定された場合、前記ＩＤカード発行装置にＩＤカードの再発行を要求する再発行要求手段と、
を備えることを特徴としている。
【０００７】
請求項２に記載の発明は、請求項１に記載の暗証情報確認装置において、前記照合手段により、前記読取手段で得られた暗証情報と、前記入力手段により入力された暗証情報が一致しない場合、表示部に、暗証情報が一致しなかった旨を表示することを特徴としている。
【０００８】
請求項３に記載の発明は、請求項１又は２に記載の暗証情報確認装置において、前記照合手段により、前記入力手段により入力された暗証情報と、前記取得手段により得られた暗証情報が一致しない場合、前記ホストコンピュータに対し、当該ホストコンピュータに登録された前記カード保有者の暗証情報を、前記入力された暗証情報に変更する要求を行うことを特徴としている。
【０００９】
請求項４に記載の発明は、カード保有者の個人情報が記憶されたＩＣメモリを内蔵したＩＤカードの暗証情報を確認するための暗証情報確認装置と、前記ＩＤカードのカード保有者の個人情報が格納されたデータベースを備えるホストコンピュータと、ＩＤカードを発行するＩＤカード発行装置が、通信ネットワークを介して接続されたＩＤカード発行システムであって、
前記個人情報には、カード保有者の暗証情報が含まれ、
前記暗証情報確認装置は、
前記ＩＤカードのＩＣメモリから、カード保有者の個人情報を読み取る読取手段と、
前記ＩＤカードの暗証情報を入力する入力手段と、
前記ホストコンピュータから、前記ＩＤカードのカード保有者の個人情報を取得する取得手段と、
前記読取手段により読み取られた個人情報に含まれる暗証情報と、前記入力手段により入力された暗証情報と、前記取得手段により取得された個人情報に含まれる暗証情報とを照合する照合手段と、
前記照合手段により、前記読取手段で得られた暗証情報と、前記入力手段により入力された暗証情報が一致しない場合、前記入力された暗証番号のＩＤカードを再発行するか否かを指定する指定手段と、
前記指定手段によりＩＤカードの再発行が指定された場合、前記ＩＤカード発行装置にＩＤカードの再発行を要求する再発行要求手段と、を備え、
前記ＩＤカード発行装置は、
前記暗証情報確認装置からのＩＤカードの再発行の要求に応じてＩＤカードを発行することを特徴としている。
【００１０】
請求項５に記載の発明は、請求項４に記載のＩＤカード発行システムにおいて、前記暗証情報確認装置は、
前記照合手段により、前記読取手段で得られた暗証情報と、前記入力手段により入力された暗証情報が一致しない場合、表示部に、暗証情報が一致しなかった旨を表示することを特徴としている。
【００１１】
請求項６に記載の発明は、請求項４又は５に記載のＩＤカード発行システムにおいて、前記暗証情報確認装置は、
前記照合手段により、前記入力手段により入力された暗証情報と、前記取得手段により得られた暗証情報が一致しない場合、前記ホストコンピュータに対し、前記データベースに格納された前記カード保有者の暗証情報を、前記入力された暗証情報に変更する要求を行い、
前記ホストコンピュータは、
前記暗証情報確認装置から、カード保有者の暗証情報の変更が要求されると、前記データベースに格納された当該カード保有者の暗証情報を、前記暗証情報確認装置から指定された暗証情報に変更することを特徴としている。
【００１２】
請求項７に記載の発明は、カード保有者の個人情報が記憶されたＩＣメモリを内蔵したＩＤカードの暗証情報を確認するための暗証情報確認装置と、前記ＩＤカードのカード保有者の個人情報が格納されたデータベースを備えるホストコンピュータと、ＩＤカードを発行するＩＤカード発行装置が通信ネットワークを介して接続されたシステムを用いたＩＤカード発行方法であって、
前記個人情報には、カード保有者の暗証情報が含まれ、
前記暗証情報確認装置は、
前記ＩＤカードのＩＣメモリから、カード保有者の個人情報を読み取る読取工程と、
前記ＩＤカードの暗証情報を入力する入力工程と、
前記ホストコンピュータから、前記ＩＤカードのカード保有者の個人情報を取得する取得工程と、
前記読取工程において読み取られた個人情報に含まれる暗証情報と、前記入力工程において入力された暗証情報と、前記取得工程において取得された個人情報に含まれる暗証情報とを照合する照合工程と、
前記照合工程において、前記読取工程において得られた暗証情報と、前記入力工程において入力された暗証情報が一致しない場合、前記入力された暗証番号のＩＤカードを再発行するか否かを指定する指定工程と、
前記指定工程においてＩＤカードの再発行が指定された場合、前記ＩＤカード発行装置にＩＤカードの再発行を要求する工程と、を含み、
前記ホストコンピュータは、
前記暗証情報確認装置から指定されたカード保有者の個人情報を前記データベースから取得し、その取得された個人情報を当該暗証情報確認装置に送信し、
前記ＩＤカード発行装置は、
前記暗証情報確認装置からのＩＤカードの再発行の要求に応じてＩＤカードを発行することを特徴としている。
【００１３】
請求項８に記載の発明は、請求項７に記載のＩＤカード発行方法において、前記暗証情報確認装置は、
前記照合工程において、前記読取工程において暗証情報と、前記入力工程において入力された暗証情報が一致しない場合、表示部に、暗証情報が一致しなかった旨を表示することを特徴としている。
【００１４】
請求項９に記載の発明は、請求項７又は８に記載のＩＤカード発行方法において、前記暗証情報確認装置は、
前記照合工程において、前記入力工程において入力された暗証情報と、前記取得工程において得られた暗証情報が一致しない場合、前記ホストコンピュータに対し、前記データベースに格納された前記カード保有者の暗証情報を、前記入力された暗証情報に変更する要求を行い、
前記ホストコンピュータは、
前記暗証情報確認装置から、カード保有者の暗証情報の変更が要求されると、前記データベースに格納された当該カード保有者の暗証情報を、前記暗証情報確認装置から指定された暗証情報に変更することを特徴としている。
【発明の効果】
【００１５】
本発明によれば、カード保有者によって入力された暗証情報、ＩＤカードのＩＣメモリに記憶された暗証情報、ホストコンピュータに登録された暗証情報を照合し、カード保有者が入力した暗証情報と、ＩＤカードのＩＣメモリに記憶された暗証情報が異なっている場合は、カード保有者によって入力された暗証情報のＩＤカードを再発行できるようにしたことにより、ＩＤカードの運用時以外であっても、暗証情報を容易に確認することができるとともに、ＩＤカードの利便性を向上させることができる。
【発明を実施するための最良の形態】
【００１６】
以下、図面を参照して、本発明の実施の形態について詳細に説明する。
まず、本実施の形態における構成について説明する。
【００１７】
図１は、本発明を適用した実施の形態のＩＤカード発行システム１００の全体構成を示す図である。ＩＤカード発行システム１００は、図１に示すように、暗証情報確認装置１、ＩＤカード発行装置２、ホストコンピュータ３、登録端末４、撮影装置５により構成され、各装置は、通信ネットワークＮを介して相互に接続されている。ここで、通信ネットワークＮは、専用線を利用して構築された通信ネットワークであり、ＬＡＮ（Local Area Network）、ＷＡＮ（Wide Area Network）等の回線形態を適用することが可能である。
【００１８】
なお、１台のホストコンピュータに通信ネットワークＮを介して接続される暗証情報確認装置１の台数、ＩＤカード発行装置２の台数、登録端末４の台数、撮影装置５の台数は、特に限定されない。
【００１９】
また、本実施の形態において対象となるＩＤカードは、ＩＣメモリを内蔵し、このＩＣメモリに、ＩＤ番号、氏名、住所、所属、有効期限、年齢、性別、顔画像、暗証番号等の種々の個人情報が、電子データとして記録され、ＩＤカードの表面に、個人情報（又はその一部）と、顔画像等が印刷されているものとする。また、ＩＣメモリに記録された情報は、書き換え不可能であるものとする。
【００２０】
図１において、暗証情報確認装置１は、ＩＤカードの暗証番号を確認するための装置であり、カード保有者によって入力部１１（図２参照）により入力された暗証番号と、ホストコンピュータ３に登録された暗証番号と、ＩＤカードのＩＣメモリから読み取られた暗証番号を照合することにより、ＩＤカードの暗証番号の正当性を判別する。入力された暗証番号と、ＩＤカードのＩＣメモリから読み取られた暗証番号が一致せず、ＩＤカードの再発行が指定された場合、暗証情報確認装置１は、ＩＤカード発行装置２に対し、カード保有者によって入力された暗証番号のＩＤカードの再発行を要求する。暗証情報確認装置１を構成する各部の詳細については、後に図２を参照して説明する。
【００２１】
ＩＤカード発行装置２は、ＩＤカードの表面に個人情報（又はその一部）を印刷するための印刷部（図示略）と、ＩＤカードのＩＣメモリに、カード保有者の個人情報を記録するためのライタ（図示略）を備えており、ホストコンピュータ２から取得されたカード保有者の個人情報又は暗証情報確認装置１から送信されたカード保有者の個人情報に基づいてＩＤカードを発行する。
【００２２】
ホストコンピュータ３は、ＩＤカード発行システム１００を統括的に制御するコンピュータであり、ＤＢ（Data Base）３１を備えている。このＤＢ３１には、ＩＤカードの登録申請人（カード保有者）の個人情報（氏名、住所、所属、有効期限、年齢、性別、暗証番号、顔画像等）が、ＩＤ番号と対応付けて格納されている。
【００２３】
ホストコンピュータ３は、暗証情報確認装置１からの個人情報取得要求があると、該当するＩＤ番号に対応する個人情報をＤＢ３１から取得して、暗証情報確認装置１に送信する。また、ホストコンピュータ３は、暗証情報確認装置１から、カード保有者の暗証番号の変更が要求されると、ＤＢ３１に登録された当該カード保有者の暗証番号を、指定された暗証番号に変更する。
【００２４】
登録端末４は、ＰＣ（Personal Computer）等により構成され、ＩＤカード交付機関の受付係員がキーボードやマウス等の入力デバイスを用いて入力したＩＤカードの登録申請人の個人情報（氏名、住所、所属、有効期限、年齢、性別、暗証番号等）を、ホストコンピュータ３に送信することによって、ＩＤカードの会員登録を要請する。撮影装置５は、ＩＤカードの登録申請人の顔画像を撮影し、顔画像の電子データをホストコンピュータ３に送信する。
【００２５】
次に、本発明が適用された実施の形態の暗証情報確認装置１の構成について説明する。図２に、暗証情報確認装置１の主要部構成を示す。暗証情報確認装置１は、図２に示すように、ＣＰＵ（Central Processing Unit）１０、入力部１１、表示部１２、通信部１３、ＲＯＭ（Read Only Memory）１４、ＲＡＭ（Random Access Memory）１５、ＩＣ Ｒ／Ｗ１６、ＯＣＲ（Optical Character Reader）１７により構成されている。
【００２６】
ＣＰＵ１０は、ＲＯＭ１４に記憶された各種制御プログラムを読み出してＲＡＭ１５内に展開し、それらの制御プログラムに従って暗証情報確認装置１の各部を制御する。以下、ＣＰＵ１０の制御動作について説明する。
【００２７】
ＣＰＵ１０は、カード保有者によって入力部１１から入力された暗証番号と、ホストコンピュータ３に登録された暗証番号と、ＩＣ Ｒ／Ｗ１６によって、ＩＤカードのＩＣメモリから読み取られた暗証番号を照合することにより、ＩＣメモリに記録された暗証番号を確認する暗証番号確認処理を実行する（図３参照）。
【００２８】
この暗証番号確認処理において、ＣＰＵ１０は、暗証番号の照合により、ＩＤカードのＩＣメモリから読み取られた暗証番号と、カード保有者によって入力された暗証番号が一致しないと判定した場合、表示部１２にエラー表示をさせるとともに、入力された暗証番号のＩＤカードを再発行するか否かの指定を促すメッセージを表示させる。ＩＤカードの再発行が指定された場合、ＩＤカード発行装置２に対し、カード保有者によって入力された暗証番号のＩＤカードの再発行を要求する。また、カード保有者によって入力された暗証番号と、ホストコンピュータ３から取得された暗証番号が一致しない場合、ホストコンピュータ３に対し、ホストコンピュータ３のＤＢ３１に登録された該当するカード保有者の暗証番号を、カード保有者によって入力された暗証番号に変更するように要求する。
【００２９】
入力部１１は、文字入力キー、テンキー、カーソルキー及び各種機能キーを備えたキー入力装置や、マウス等のポインティングデバイス等を備え、キー入力装置やポインティングデバイスの操作による操作信号をＣＰＵ１０に出力する。
【００３０】
表示部１２は、ＬＣＤ（Liquid Crystal Display）やＣＲＴ（Cathode Ray Tube）等の表示画面を備え、ＣＰＵ１０から入力される表示信号に従って所要の表示処理を行う。
【００３１】
通信部１３は、ＬＡＮアダプタ等によって構成され、通信ネットワークＮを介して、ＩＤカード発行装置２、ホストコンピュータ３等の外部装置と通信を行うための制御を行う。
【００３２】
ＲＯＭ１４は、制御部３０で実行される各種プログラム、これらのプログラムで使用されるデータを格納している。
【００３３】
ＲＡＭ１５は、ＣＰＵ１０により実行される各種制御プログラムや各種アプリケーションプログラムをプログラム格納エリアに展開する。また、ＲＡＭ１５は、入力データ及び上記の制御処理プログラムの実行時に生じる処理結果等のデータを、ワークエリアに一時的に格納する。
【００３４】
ＩＣ Ｒ／Ｗ１６は、ＩＣメモリへのデータの書き込み、ＩＣメモリからのデータの読み取りを行う装置である。ＯＣＲ１７は、ＩＤカードの表面に印刷された文字を認識し、認識された文字のテキストデータをＣＰＵ１０に出力する。
【００３５】
次に、本実施の形態における動作について説明する。
図３に示すフローチャートは、暗証情報確認装置１を構成するコンピュータに各機能を実現させるためのプログラムを説明するためのものである。本実施の形態では、このプログラムが、ＣＰＵ１０が読み取り可能なプログラムコードの形態で記録媒体に格納されている例で説明するが、全ての機能を記録媒体に格納する必要はなく、必要に応じて、その一部又は全部を、通信ネットワークＮを介して外部装置から受信して実現するようにしてもよい。
【００３６】
図３のフローチャートを参照して、暗証情報確認装置１により実行される暗証番号確認処理について説明する。
【００３７】
まず、ＩＣ Ｒ／Ｗ１６により、ＩＤカードのＩＣメモリに記憶されたカード保有者の個人情報が読み込まれ（ステップＳ１）、ＩＤ番号が読み取られる（ステップＳ２）。次いで、ステップＳ２で読み取られたＩＤ番号がホストコンピュータ３に送信され（ステップＳ３）、ホストコンピュータ３のＤＢ３１から、その送信されたＩＤ番号に対応する個人情報が取得される（ステップＳ４）。ステップＳ４で取得される個人情報には、ＩＤカードの暗証番号が含まれている。
【００３８】
次いで、当該ＩＤカードのカード保有者による入力部１１の操作によって暗証番号が入力されると（ステップＳ５；ＹＥＳ）、入力された暗証番号と、ステップＳ４でホストコンピュータ３から取得された暗証番号（ホストコンピュータ３に登録された暗証番号）が一致するか否かが判定される（ステップＳ６）。
【００３９】
ステップＳ６において、ステップＳ５で入力された暗証番号と、ステップＳ４でホストコンピュータ３から取得された暗証番号が一致すると判定された場合（ステップＳ６；ＹＥＳ）、カード保有者によって入力された暗証番号で、当該ＩＤカードのＩＣメモリに記憶されたデータが読み込み可能であるか否か、即ち、ステップＳ５で入力された暗証番号と、ＩＣメモリに記憶された暗証番号が一致するか否かが判定される（ステップＳ７）。
【００４０】
ステップＳ７において、カード保有者によって入力された暗証番号で、当該ＩＤカードのＩＣメモリに記憶されたデータが読み込み可能であると判定された場合（ステップＳ７；ＹＥＳ）、当該ＩＤカードのＩＣメモリに記憶された暗証番号が正しいと判断され、本暗証番号確認処理が終了する。
【００４１】
ステップＳ６において、ステップＳ５で入力された暗証番号と、ステップＳ４でホストコンピュータ３から取得された暗証番号が一致しないと判定された場合（ステップＳ６；ＮＯ）、表示部１２に、ホストコンピュータ３に登録された暗証番号が表示され（ステップＳ８）、表示された暗証番号が正しいか否かの指定を促すメッセージが表示部１２に表示される（ステップＳ９）。
【００４２】
ステップＳ９において、入力部１１の操作により、表示部１２に表示された暗証番号が正しいと指定された場合（ステップＳ９；ＹＥＳ）、ホストコンピュータ３に登録された暗証番号を利用してＩＤカードを利用するものとみなされ、本暗証番号確認処理が終了する。
【００４３】
ステップＳ９において、入力部１１の操作により、表示部１２に表示された暗証番号が正しくないと指定された場合（ステップＳ９；ＮＯ）、ホストコンピュータ３に現在登録されている当該ＩＤカードの暗証番号を、ステップＳ５でカード保有者により入力された暗証番号に変更するように要求する信号が、ホストコンピュータ３に送信される（ステップＳ１０）。ホストコンピュータ３に、暗証番号の変更を要求する信号が送信されると、ステップＳ７に移行し、カード保有者によって入力された暗証番号で、当該ＩＤカードのＩＣメモリに記憶されたデータが読み込み可能であるか否かが判定される（ステップＳ７）。
【００４４】
ステップＳ７において、カード保有者によって入力された暗証番号で、当該ＩＤカードのＩＣメモリに記憶されたデータが読み込み可能でないと判定された場合（ステップＳ７；ＮＯ）、表示部１２に、入力された暗証番号と、ＩＤカードのＩＣメモリに記憶された暗証番号が一致しないことを示すエラーが表示される（ステップＳ１１）。次いで、表示部１２に、カード保有者によって入力された暗証番号のＩＤカードを再発行するか否かの指定を促すメッセージが表示される（ステップＳ１２）。
【００４５】
ステップＳ１２において、入力部１１の操作により、ＩＤカードの再発行が指定された場合（ステップＳ１２；ＹＥＳ）、ホストコンピュータ３に現在登録されている当該ＩＤカードの個人情報が取得されてＩＤカード発行装置２に送信され、ＩＤカード発行装置２に当該ＩＤカードの再発行が要求され（ステップＳ１３）、本暗証番号確認処理が終了する。
【００４６】
ＩＤカード発行装置２では、暗証情報確認装置１からのカード再発行の要求を受けて、ＩＤカードが再発行される。再発行されたＩＤカードのＩＣメモリに記録される暗証番号は、ホストコンピュータ３のＤＢ３１に登録されている暗証番号と、ステップＳ５でカード保有者によって入力された暗証番号に一致する。
【００４７】
以上のように、本実施の形態の暗証情報確認装置１によれば、カード保有者によって入力された暗証番号、ＩＤカードのＩＣメモリに記憶された暗証番号、ホストコンピュータ３に登録された暗証番号を照合し、カード保有者が入力した暗証番号と、ＩＤカードのＩＣメモリに記憶された暗証番号が異なっている場合は、カード保有者によって入力された暗証番号のＩＤカードを再発行できるようにしたことにより、ＩＤカードの運用時以外であっても、暗証番号を容易に確認することができるとともに、ＩＤカードの利便性を向上させることができる。また、ＩＤカードの再発行処理を簡易化することができる。
【００４８】
なお、本実施の形態における記述内容は、本発明の趣旨を逸脱しない範囲で適宜変更可能である。
【図面の簡単な説明】
【００４９】
【図１】本発明が適用された実施の形態のＩＤカード発行システムの構成を示す図。
【図２】本発明が適用された実施の形態の暗証情報確認装置の主要部構成を示す図。
【図３】暗証情報確認装置により実行される暗証番号確認処理を示すフローチャート。
【符号の説明】
【００５０】
１  暗証情報確認装置
１０  ＣＰＵ
１１  入力部
１２  表示部
１３  通信部
１４  ＲＯＭ
１５  ＲＡＭ
１６  ＩＣ Ｒ／Ｗ
１７  ＯＣＲ
２  ＩＤカード発行装置
３  ホストコンピュータ
３１  ＤＢ
４  登録端末
５  撮影装置
１００  ＩＤカード発行システム
【図１】
2005107730.tif 000003
【図２】
2005107730.tif 000004
【図３】
2005107730.tif 000005